(57)【特許請求の範囲】
【請求項１】
並べて配置された複数台の表示装置と、
前記複数台の表示装置に接続された制御装置と、
を具備し、
前記制御装置は、
複数ページの画像データのうちの１ページの画像データを指定ページ目の画像データとして操作者が指定するためのページ操作部と、
前記操作者により指定された前記指定ページ目の画像データを、前記複数台の表示装置のうちの、最終台目の表示装置であるマスター表示装置に表示する画像データ表示制御部と、
前記マスター表示装置以外の表示装置であるスレーブ表示装置に、前記複数ページの画像データのうちの、１ページ目から指定ページ目の直前のページまでの画像データをページの順番に従って全て表示するレイアウト表示制御部と、
を具備することを特徴とする表示システム。
【請求項２】
レイアウト表示制御部は、
前記スレーブ表示装置に表示される画像データの画像の大きさを表す画像サイズを、ページ順に段階的に大きくすることを特徴とする請求項１に記載の表示システム。
【請求項３】
前記スレーブ表示装置の各々に表示される画像データの数であるページ数、及び、その画像データの画像サイズは、予め割り当てられ、
前記レイアウト表示制御部は、
前記割り当てられたページ数、及び、画像サイズに基づいて、前記スレーブ表示装置に表示される画像データの画像サイズを小さくして、前記スレーブ表示装置に前記１ページ目から指定ページ目の直前のページまでの画像データを順番に全て表示する割当設定レイアウト表示制御部、
を備えたことを特徴とする請求項１に記載の表示システム。  
【請求項４】
前記スレーブ表示装置の各々に表示される画像データの数であるページ数、及び、その画像データの画像サイズは、前記１ページ目から指定ページ目の直前のページまでの画像データの数である提示済ページ数により決定され、
前記レイアウト表示制御部は、
前記提示済ページ数が前記スレーブ表示装置の台数を超えるときに、前記スレーブ表示装置に表示される画像データの画像サイズを小さくして、前記スレーブ表示装置に前記１ページ目から指定ページ目の直前のページまでの画像データを順番に全て表示する枚数設定レイアウト表示制御部、
を備えたことを特徴とする請求項１に記載の表示システム。
【請求項５】
前記レイアウト表示制御部は、設定時間が経過したときに、前記マスター表示装置に表示された前記指定ページ目の画像データに対してページ送りを行なうことを特徴とする請求項１から４のいずれか一項に記載の表示システム。
【請求項６】
前記レイアウト表示制御部は、
前記スレーブ表示装置に表示された前記１ページ目から指定ページ目の直前のページまでの画像データのうちの、１ページ分の画像データを前記操作者がタッチした場合、前記タッチされた画像データを前記指定ページ目の画像データとして前記マスター表示装置に再表示し、前記スレーブ表示装置に、前記複数ページの画像データのうちの、前記１ページ目から指定ページ目の直前のページまでの画像データが順番に全て表示されるように、前記スレーブ表示装置に表示される画像データの画像サイズを小さくする選択時レイアウト表示制御部、
を備えたことを特徴とする請求項１から５のいずれか一項に記載の表示システム。
【請求項７】
前記制御装置は、
前記複数ページの画像データの各々に対して重要度が設定されたテーブル、
を更に具備し、
前記レイアウト表示制御部は、前記テーブルに設定された前記重要度に基づいて、前記スレーブ表示装置に表示される画像データの画像サイズを変更することを特徴とする請求項１から６のいずれか一項に記載の表示システム。
【請求項８】
複数ページの画像データのうちの、操作者により指定された指定ページ目の画像データを、並べて配置された複数台の表示装置のうちの、最終台目の表示装置であるマスター表示装置に表示するステップと、
前記マスター表示装置以外の表示装置であるスレーブ表示装置に、前記複数ページの画像データのうちの、１ページ目から指定ページ目の直前のページまでの画像データをページの順番に従って全て表示するステップと、
を具備することを特徴とする表示方法。
【発明の詳細な説明】
【技術分野】
【０００１】
本発明は、複数台の表示装置に画像データを表示する表示システム、及び、表示方法に関する。
【背景技術】
【０００２】
操作者（例えば、先生）が、教材として複数ページの画像データを用いて、視聴者（例えば、生徒）に対して授業を行なう場合、操作者は、複数ページの画像データの各々を１台の表示装置に表示させる。例えば、操作者は、１ページ目の画像データを１台の表示装置に表示させて、１ページ目の画像データに対する説明を行なう。その後に、操作者は、２ページ目の画像データを１台の表示装置に表示させて、２ページ目の画像データに対する説明を行なう。これにより、視聴者は、１ページ目の画像データを見ながら、１ページ目の画像データに対する説明を聴くことができ、２ページ目の画像データを見ながら、２ページ目の画像データに対する説明を聴くことができる。
【０００３】
しかしながら、１台の表示装置に表示される画像データは１ページずつ切り替えられるため、視聴者は、複数ページの画像データを一度に見ることができない。すなわち、操作者は、２ページ目の画像データを１台の表示装置に表示させるときに、１台の表示装置に表示される画像データを、１ページ目の画像データから、２ページ目の画像データに切り替えるため、視聴者は、１ページ目の画像データと２ページ目の画像データとを一度に見ることができない。また、操作者が、２ページ目の画像データを１台の表示装置に表示させて、２ページ目の画像データに対する説明を行なっているときに、視聴者のうちの数名は、２ページ目の画像データに対する説明の確認のために、１ページ目の画像データの画面を再度見たい場合がある。このように、視聴者が数ページの画像データを一度に閲覧できることが望まれる。
【０００４】
また、１台の表示装置の表示領域が複数の領域（例えば、３つの領域）に分割されている場合、操作者は、１〜３ページ目の画像データを１台の表示装置に表示させることができる。例えば、操作者は、１〜３ページ目の画像データを１台の表示装置に表示させることにより、１〜３ページ目の画像データに対する説明を一度に行なうことができる。これにより、視聴者は、１〜３ページ目の画像データを見ながら、１〜３ページ目の画像データに対する説明を一度聴くことができる。また、視聴者のうちの数名は、２ページ目の画像データに対する説明の確認のために、１ページ目の画像データの画面を再度見ることもできる。
【０００５】
しかしながら、視聴者のうちの数名は、２ページ目の画像データに対する説明を聴き逃している場合もある。この場合、その数名は、１台の表示装置に表示された１〜３ページ目の画像データを見て、今現在、操作者がどのページの画像データに対して説明を行なっているのかを把握できないことも考えられる。このように、現在表示されている画像データが、提示中の画像データ（すなわち、操作者が説明している画像データ）であるのか、提示済みの画像データ（すなわち、操作者が説明済みの画像データ）であるのかを、視聴者が容易に把握できることが望まれる。
【０００６】
複数台の表示装置に画像データを表示する技術として、画面キャプチャを用いて、１台目の表示装置に表示された画像データと同じ画像データを２台目の表示装置に表示する技術が、特許文献１、２に開示されている。
【０００７】
１つの表示部に複数の画像データを表示する技術として、表示部の表示領域に対して、等間隔に、複数の領域に分割し、複数の領域に数ページの画像データを表示する技術が、特許文献３、４に開示されている。
【先行技術文献】
【特許文献】
【０００８】
【特許文献１】特開２００３−６９７６７号公報
【特許文献２】特開２０１４−２２８６１号公報
【特許文献３】特許第５４４４０７３号
【特許文献４】特許第５５５７３１４号
【発明の概要】
【発明が解決しようとする課題】
【０００９】
しかしながら、特許文献１、２に記載された技術では、画面キャプチャを用いて、１台目の表示装置に表示された画像データと同じ画像データを２台目の表示装置に表示するものであるため、視聴者が数ページの画像データを一度に閲覧することはできない。
【００１０】
また、特許文献３、４に記載された技術では、表示部の表示領域に対して、等間隔に、複数の領域に分割し、複数の領域に数ページの画像データを表示するものであるため、現在表示されている画像データが、提示中の画像データ（操作者が説明している画像データ）であるのか、提示済みの画像データ（操作者が説明済みの画像データ）であるのかを、視聴者が容易に把握することはできない。
【００１１】
本発明は、上記従来の問題点に鑑みてなされたものであって、視聴者が数ページの画像データを一度に閲覧することができ、現在表示されている画像データが、提示中の画像データ（操作者が説明している画像データ）であるのか、提示済みの画像データ（操作者が説明済みの画像データ）であるのかを、視聴者が容易に把握することができる表示システム、及び、表示方法を提供することを目的とする。
【課題を解決するための手段】
【００１２】
本発明の表示システムは、並べて配置された複数台の表示装置と、前記複数台の表示装置に接続された制御装置と、を具備し、前記制御装置は、複数ページの画像データのうちの１ページの画像データを指定ページ目の画像データとして操作者が指定するためのページ操作部と、前記操作者により指定された前記指定ページ目の画像データを、前記複数台の表示装置のうちの、最終台目の表示装置であるマスター表示装置に表示する画像データ表示制御部と、前記マスター表示装置以外の表示装置であるスレーブ表示装置に、前記複数ページの画像データのうちの、１ページ目から指定ページ目の直前のページまでの画像データをページの順番に従って全て表示するレイアウト表示制御部と、を具備することを特徴とする。
【００１３】
本発明の表示方法は、複数ページの画像データのうちの、操作者により指定された指定ページ目の画像データを、並べて配置された複数台の表示装置のうちの、最終台目の表示装置であるマスター表示装置に表示するステップと、前記マスター表示装置以外の表示装置であるスレーブ表示装置に、前記複数ページの画像データのうちの、１ページ目から指定ページ目の直前のページまでの画像データをページの順番に従って全て表示するステップと、を具備することを特徴とする。
【発明の効果】
【００１４】
本発明によれば、視聴者が数ページの画像データを一度に閲覧することができ、現在表示されている画像データが、提示中の画像データ（操作者が説明している画像データ）であるのか、提示済みの画像データ（操作者が説明済みの画像データ）であるのかを、視聴者が容易に把握することができる。
【図面の簡単な説明】
【００１５】
【図１】本発明の第１実施形態に係る表示システムの構成を示すブロック図である。
【図２】本発明の第１実施形態に係る表示システムの構成において、複数台の表示装置１０の配置を示す図である。
【図３】本発明の第１実施形態に係る表示システムの動作（表示処理）を示すフローチャートである。
【図４】本発明の第１実施形態に係る表示システムの動作において、複数台の表示装置１０に表示される画像データの一例を示す図である。
【図５】本発明の第１実施形態に係る表示システムの動作において、複数台の表示装置１０に表示される画像データの一例を示す図である。
【図６】本発明の第１実施形態に係る表示システムの動作において、複数台の表示装置１０に表示される画像データの一例を示す図である。
【図７】本発明の第１実施形態に係る表示システムの動作において、複数台の表示装置１０に表示される画像データの一例を示す図である。
【図８】本発明の第１実施形態に係る表示システムの動作において、複数台の表示装置１０に表示される画像データの一例を示す図である。
【図９】本発明の第１実施形態に係る表示システムの動作において、複数台の表示装置１０に表示される画像データの一例を示す図である。
【図１０】本発明の第１実施形態に係る表示システムの動作において、複数台の表示装置１０に表示される画像データの他の例を示す図である。
【図１１】本発明の第１実施形態に係る表示システムの動作において、複数台の表示装置１０に表示される画像データの他の例を示す図である。
【図１２】本発明の第１実施形態に係る表示システムの動作において、複数台の表示装置１０に表示される画像データの他の例を示す図である。
【図１３】本発明の第１実施形態に係る表示システムの動作において、複数台の表示装置１０に表示される画像データの他の例を示す図である。
【図１４】本発明の第１実施形態に係る表示システムの動作において、複数台の表示装置１０に表示される画像データの他の例を示す図である。
【図１５】本発明の第１実施形態に係る表示システムの動作において、複数台の表示装置１０に表示される画像データの他の例を示す図である。
【図１６】本発明の第１実施形態に係る表示システムの動作において、複数台の表示装置１０に表示される画像データの他の例を示す図である。
【図１７】本発明の第１実施形態に係る表示システムの動作において、複数台の表示装置１０に表示される画像データの他の例を示す図である。
【図１８】本発明の第１実施形態に係る表示システムの動作において、複数台の表示装置１０に表示される画像データの他の例を示す図である。
【図１９】本発明の第１実施形態に係る表示システムの動作において、複数台の表示装置１０に表示される画像データの他の例を示す図である。
【図２０】本発明の第１実施形態に係る表示システムの動作において、複数台の表示装置１０に表示される画像データの他の例を示す図である。
【図２１】本発明の第１実施形態に係る表示システムの動作において、複数台の表示装置１０に表示される画像データの他の例を示す図である。
【図２２】本発明の第１実施形態に係る表示システムの動作において、複数台の表示装置１０に表示される画像データの他の例を示す図である。
【図２３】本発明の第２実施形態に係る表示システムの構成を示すブロック図である。
【図２４】本発明の第２実施形態に係る表示システムの動作（表示処理）を示すフローチャートである。
【図２５】本発明の第２実施形態に係る表示システムの動作において、複数台の表示装置１０に表示される画像データの一例を示す図である。
【図２６】本発明の第２実施形態に係る表示システムの動作において、複数台の表示装置１０に表示される画像データの一例を示す図である。
【図２７】本発明の第２実施形態に係る表示システムの動作において、複数台の表示装置１０に表示される画像データの一例を示す図である。
【図２８】本発明の第２実施形態に係る表示システムの動作において、複数台の表示装置１０に表示される画像データの一例を示す図である。
【図２９】本発明の第２実施形態に係る表示システムの動作において、複数台の表示装置１０に表示される画像データの一例を示す図である。
【図３０】本発明の第２実施形態に係る表示システムの動作において、複数台の表示装置１０に表示される画像データの一例を示す図である。
【図３１】本発明の第３実施形態に係る表示システムの構成を示すブロック図である。
【図３２】本発明の第３実施形態に係る表示システムの動作（表示処理）を示すフローチャートである。
【図３３】本発明の第４実施形態に係る表示システムの構成を示すブロック図である。
【図３４】本発明の第４実施形態に係る表示システムの動作（表示処理）を示すフローチャートである。
【図３５】本発明の第４実施形態に係る表示システムの動作において、複数台の表示装置１０に表示される画像データの一例を示す図である。
【図３６】本発明の第４実施形態に係る表示システムの動作において、複数台の表示装置１０に表示される画像データの一例を示す図である。
【図３７】本発明の第５実施形態に係る表示システムの構成を示すブロック図である。
【図３８】本発明の第５実施形態に係る表示システムの動作（表示処理）を示すフローチャートである。
【図３９】本発明の第５実施形態に係る表示システムの動作において、複数台の表示装置１０に表示される画像データの一例を示す図である。
【図４０】本発明の第５実施形態に係る表示システムの動作において、複数台の表示装置１０に表示される画像データの一例を示す図である。
【図４１】本発明の第６実施形態に係る表示システムの構成を示すブロック図である。
【図４２】本発明の第６実施形態に係る表示システムの動作（表示処理）を示すフローチャートである。
【図４３】本発明の第７実施形態に係る表示システムの記憶部３２に格納されたテーブル３１Ａを示す図である。
【図４４】本発明の第７実施形態に係る表示システムの動作において、複数台の表示装置１０に表示される画像データの一例を示す図である。
【発明を実施するための形態】
【００１６】
以下、図面を参照しながら本発明の実施形態について説明する。
【００１７】
［第１実施形態］
図１は、本発明の第１実施形態に係る表示システムの構成を示すブロック図である。図２は、本発明の第１実施形態に係る表示システムの構成において、複数台の表示装置１０の配置を示す図である。
【００１８】
図１に示されるように、本発明の第１実施形態に係る表示システムは、複数台の表示装置１０と、入力検知装置２０と、制御装置３０と、入力指示装置４０と、を具備している。
【００１９】
複数台の表示装置１０は、図示しないＬＣＤ（Ｌｉｑｕｉｄ  Ｃｒｙｓｔａｌ  Ｄｉｓｐｌａｙ）である。図２に示されるように、複数台の表示装置１０は、１台目から最終台目まで順番に左右方向に並べて配置されている。図１、２に示されるように、本実施形態では、複数台の表示装置１０は、例えば、１〜４台目の表示装置１０−１〜１０−４であるものとする。１〜４台目の表示装置１０−１〜１０−４の各々は、画像データを表示するための表示面である画像データ表示領域１０Ａを備えている。また、図２に示されるように、１〜４台目の表示装置１０−１〜１０−４は、この順番で左から右に並べて配置されている。
【００２０】
また、本実施形態では、例えば、１〜４台目の表示装置１０−１〜１０−４のうちの最終台目の表示装置１０−４は、マスター表示装置とし、それ以外の表示装置１０−１〜１０−３をスレーブ表示装置としている。マスター表示装置１０−４は、例えば、ユーザ（操作者）により指定されている。または、予め指定されている。マスター表示装置１０−４は、更に、後述のページ操作部３５を表示するための表示面であるページ操作表示領域１０Ｂを備えている。
【００２１】
入力検知装置２０は、タッチパネルであり、マスター表示装置１０−４に設けられている。すなわち、マスター表示装置１０−４は、自身のＬＣＤと入力検知装置２０（タッチパネル）とにより、タッチパネルディスプレイとして使用される。この入力検知装置２０は、操作者がマスター表示装置１０−４の画像データ表示領域１０Ａに対して指先またはペン先により文字等を入力したとき、マスター表示装置１０−４の画像データ表示領域１０Ａに対する操作者の入力を検知する。また、入力検知装置２０は、操作者がマスター表示装置１０−４のページ操作表示領域１０Ｂに対して後述のページ操作部３５を操作したとき、後述のページ操作部３５の操作として、マスター表示装置１０−４のページ操作表示領域１０Ｂに対する操作者の入力を検知する。
【００２２】
入力検知装置２０としては、静電容量センサや、光センサが例示される。静電容量センサは、例えば、マスター表示装置１０−４のＬＣＤにマトリクス状に配置され、そのＬＣＤに所定距離以下に近接した指示媒体（ペン先または操作者の指先）を検出する。光センサは、マスター表示装置１０−４のＬＣＤの各画素に内蔵されることによりマトリクス状に配置され、そのＬＣＤに接触する指示媒体（ペン先または操作者の指先）を検出する。
【００２３】
入力指示装置４０としては、キーボードや、マウス等のポインティングデバイスが例示される。
【００２４】
図１に示されるように、制御装置３０は、１〜４台目の表示装置１０−１〜１０−４（スレーブ表示装置１０−１〜１０−３、マスター表示装置１０−４）と、入力検知装置２０と入力指示装置４０とに接続されている。この制御装置３０は、記憶部３１と、制御部３２とを具備している。制御部３１は、ＣＰＵ（Central Processing Unit）であり、入力検知装置２０、１〜４台目の表示装置１０−１〜１０−４を制御する。記憶部３２にはコンピュータプログラムが格納され、制御部３１は、そのコンピュータプログラムを実行する。また、操作者が入力指示装置４０を操作した場合、制御部３１は、入力指示装置４０の操作に応じてコンピュータプログラムを実行する。
【００２５】
図１に示されるように、制御部３１は、画像データ表示制御部３３と、入力反映表示制御部３４と、ページ操作部３５と、レイアウト表示制御部３６とを備えている。
【００２６】
画像データ表示制御部３３は、１ページ目から最終ページ目までの複数ページの画像データのうちの、操作者により指定された指定ページ目の画像データを、１〜４台目の表示装置１０−１〜１０−４（スレーブ表示装置１０−１〜１０−３、マスター表示装置１０−４）のうちの、最終台目の表示装置であるマスター表示装置１０−４に表示する。
【００２７】
入力反映表示制御部３４は、マスター表示装置１０−４に表示された指定ページ目の画像データに対して、操作者により入力された情報を表す入力情報を反映させる。
【００２８】
図１、２に示されるように、ページ操作部３５は、ページ送り用操作部３５Ａと、ページ戻し用操作部３５Ｂとを含んでいる。ページ送り用操作部３５Ａは、１〜４台目の表示装置１０−１〜１０−４（スレーブ表示装置１０−１〜１０−３、マスター表示装置１０−４）に表示された表示装置１０の台数分の画像データに対して、ページ送りを行なうための操作部である。ページ戻し用操作部３５Ｂは、１〜４台目の表示装置１０−１〜１０−４（スレーブ表示装置１０−１〜１０−３、マスター表示装置１０−４）に表示された表示装置１０の台数分の画像データに対して、ページ戻しを行なうための操作部である。図２に示されるように、ページ操作部３５（ページ送り用操作部３５Ａ、ページ戻し用操作部３５Ｂ）は、マスター表示装置１０−４のページ操作表示領域１０Ｂに表示されている。
【００２９】
ページ操作部３５（ページ送り用操作部３５Ａ、ページ戻し用操作部３５Ｂ）が操作されたとき、画像データ表示制御部３３は、複数ページの画像データのうちの、表示装置１０の台数分の画像データをページ操作部３５（ページ送り用操作部３５Ａ、ページ戻し用操作部３５Ｂ）の操作に応じてシフトさせた画像データをそれぞれ１〜４台目の表示装置１０−１〜１０−４（スレーブ表示装置１０−１〜１０−３、マスター表示装置１０−４）に表示する。
【００３０】
また、入力指示装置４０がキーボードである場合、ページ送り用操作部３５Ａに対応するページ送り用シフトキー（図示しない）と、ページ戻し用操作部３５Ｂに対応するページ戻し用シフトキー（図示しない）とを備えている。
【００３１】
ページ操作部３５の代わりに、入力指示装置４０のシフトキー（ページ送り用シフトキー、ページ戻し用シフトキー）が操作されたときでも、画像データ表示制御部３３は、複数ページの画像データのうちの、表示装置１０の台数分の画像データを入力指示装置４０のシフトキー（ページ送り用シフトキー、ページ戻し用シフトキー）の操作に応じてシフトさせた画像データをそれぞれ１〜４台目の表示装置１０−１〜１０−４（スレーブ表示装置１０−１〜１０−３、マスター表示装置１０−４）に表示する。
【００３２】
レイアウト表示制御部３６は、１〜４台目の表示装置１０−１〜１０−４のうちの、マスター表示装置１０−４以外の表示装置（スレーブ表示装置１０−１〜１０−３）に、複数ページの画像データのうちの、１ページ目から指定ページ目の直前のページまでの画像データが順番に全て表示されるように、スレーブ表示装置１０−１〜１０−３に表示される画像データの画像の大きさを表す画像サイズ（幅、高さ）を、マスター表示装置１０−４に表示される指定ページ目の画像データの画像サイズ（幅、高さ）よりも小さくする。
【００３３】
ここで、スレーブ表示装置１０−１〜１０−３の各々に表示される画像データの数であるページ数、及び、その画像データの画像サイズ（幅、高さ）は、予め割り当てられている。
【００３４】
レイアウト表示制御部３６は、割当設定レイアウト表示制御部３６Ａを備えている。割当設定レイアウト表示制御部３６Ａは、割り当てられたページ数、及び、画像サイズ（幅、高さ）に基づいて、スレーブ表示装置１０−１〜１０−３に表示される画像データの画像サイズ（幅、高さ）を小さくして、スレーブ表示装置１０−１〜１０−３に１ページ目から指定ページ目の直前のページまでの画像データを順番に全て表示する。
【００３５】
次に、本発明の第１実施形態に係る表示システムの動作（表示処理）について、図３〜１０を用いて説明する。図３は、本発明の第１実施形態に係る表示システムの動作（表示処理）を示すフローチャートである。図４〜９は、本発明の第１実施形態に係る表示システムの動作において、複数台の表示装置１０に表示される画像データの一例を示す図である。
【００３６】
例えば、操作者（先生）は、視聴者（生徒）に対して授業で使うための教材として、複数ページの画像データを用いる。複数ページの画像データは、制御装置３０の記憶部３１に格納されている。または、複数ページの画像データは、制御装置３０に入力され、制御装置３０の制御部３２は、その複数ページの画像データを記憶部３１に格納する。
【００３７】
図４〜９に示されるように、複数ページの画像データは、アルファベット表記による文書「Ａ」、「Ｂ」、「Ｃ」、「Ｄ」、「Ｅ」、「Ｆ」、「Ｇ」、「Ｈ」、「Ｉ」、「Ｊ」、「Ｋ」、「Ｌ」、「Ｍ」、「Ｎ」、「Ｏ」、「Ｐ」、「Ｑ」、「Ｒ」、「Ｓ」、「Ｔ」、「Ｕ」、「Ｖ」、…を表している。
【００３８】
まず、操作者は、入力指示装置４０を操作して、制御装置３０の記憶部３１に格納された複数ページの画像データのうちの１ページ目の画像データ「Ａ」（図４を参照）を表示するための表示指示を行なう。このとき、図４に示されるように、制御装置３０の制御部３２の画像データ表示制御部３３は、複数ページの画像データのうちの、１ページ目の画像データ「Ａ」をマスター表示装置１０−４に表示する（図３のステップＳ１１；画像データ表示処理）。
【００３９】
操作者が、マスター表示装置１０−４の画像データ表示領域１０Ａに対して、一定時間以上、入力しない場合（図３のステップＳ１２−Ｎｏ）、本発明の第１実施形態に係る表示システムの動作（表示処理）は、後述のステップ１４に移行する。
【００４０】
一方、操作者は、マスター表示装置１０−４の画像データ表示領域１０Ａに対して、一定時間以内に、指先またはペン先により文字等を入力する（図３のステップＳ１２−Ｙｅｓ）。このとき、入力検知装置２０は、マスター表示装置１０−４の画像データ表示領域１０Ａに対する操作者の入力を検知し、入力情報１１（図５を参照）を生成する。入力情報１１は、操作者により入力された情報として、マスター表示装置１０−４に表示された画像データ（この場合、１ページ目の画像データ「Ａ」）に対する説明文「○○」を表している。図５に示されるように、入力反映表示制御部３４は、１ページ目の画像データ「Ａ」に対して、入力情報１１「○○」を反映させる（図３のステップＳ１３；入力反映表示処理）。
【００４１】
操作者が、マスター表示装置１０−４のページ操作表示領域１０Ｂに対して、一定時間以上、操作しない場合（図３のステップＳ１４−Ｎｏ）、本発明の第１実施形態に係る表示システムの動作（表示処理）は、ステップ１６に移行する。ここで、画像データの表示を終了する場合は（ステップＳ１６−Ｙｅｓ）、本発明の第１実施形態に係る表示システムの動作（表示処理）は終了する。画像データの表示を終了しない場合は（ステップＳ１６−Ｎｏ）、上述のステップＳ１２〜Ｓ１４が行なわれる。
【００４２】
一方、操作者は、マスター表示装置１０−４のページ操作表示領域１０Ｂに対して、例えば、ページ送り用操作部３５Ａを１回だけ操作する（押下する）。このとき、入力検知装置２０は、ページ送り用操作部３５Ａの操作として、マスター表示装置１０−４のページ操作表示領域１０Ｂに対する操作者の入力を検知し、シフト指示を制御装置３０の制御部３２に送信する。このシフト指示は、１回分のページ送りを表している（図３のステップＳ１４−Ｙｅｓ）。この場合、後述のステップ１５に移行する。
【００４３】
図６に示されるように、制御部３２の画像データ表示制御部３３は、ページ送り用操作部３５Ａからのシフト指示に応じて、複数ページの画像データのうちの、２ページ目の画像データ「Ｂ」をマスター表示装置１０−４に表示する。制御部３２のレイアウト表示制御部３６の割当設定レイアウト表示制御部３６Ａは、ページ送り用操作部３５Ａからのシフト指示に応じて、複数ページの画像データのうちの、入力情報１１「○○」が反映された１ページ目の画像データ「Ａ」（以下、単に、１ページ目の画像データ「Ａ」と称する）をスレーブ表示装置１０−３に表示する。すなわち、制御部３２（画像データ表示制御部３３、割当設定レイアウト表示制御部３６Ａ）は、シフト指示に応じて、複数ページの画像データのうちの、１ページ目の画像データ「Ａ」、２ページ目の画像データ「Ｂ」を、それぞれ、スレーブ表示装置１０−３、マスター表示装置１０−４に表示する（図３のステップＳ１５；割当設定レイアウト表示処理）。
【００４４】
このとき、ステップＳ１５（割当設定レイアウト表示処理）において、図６に示されるように、１ページ目の画像データ「Ａ」は、スレーブ表示装置１０−３の画像データ表示領域１０Ａのうちの１つの割当領域に表示される。スレーブ表示装置１０−３の画像データ表示領域１０Ａは、３分割され、第１〜第３の割当領域を有している。１ページ目の画像データ「Ａ」は、その第３の割当領域に表示される。スレーブ表示装置１０−３の第３の割当領域に表示された１ページ目の画像データ「Ａ」の画面サイズは、マスター表示装置１０−４に表示された２ページ目の画像データ「Ｂ」の画面サイズよりも小さい。
【００４５】
その後、画像データの表示を終了しない場合（ステップＳ１６−Ｎｏ）、再度、上述のステップＳ１２〜Ｓ１５が行なわれる。
【００４６】
ステップＳ１５（割当設定レイアウト表示処理）において、図７に示されるように、ページ送り用操作部３５Ａからのシフト指示に応じて、複数ページの画像データのうちの、４ページ目の画像データ「Ｄ」がマスター表示装置１０−４に表示され、１〜３ページ目の画像データ「Ａ」〜「Ｃ」がそれぞれスレーブ表示装置１０−３の第１〜第３の割当領域に表示される。
【００４７】
スレーブ表示装置１０−３の第１の割当領域に表示された１ページ目の画像データ「Ａ」の画面サイズは、スレーブ表示装置１０−３の第２の割当領域に表示された２ページ目の画像データ「Ｂ」の画面サイズよりも小さい。スレーブ表示装置１０−３の第２の割当領域に表示された２ページ目の画像データ「Ｂ」の画面サイズは、スレーブ表示装置１０−３の第３の割当領域に表示された３ページ目の画像データ「Ｃ」の画面サイズよりも小さい。スレーブ表示装置１０−３の第３の割当領域に表示された３ページ目の画像データ「Ｃ」の画面サイズは、マスター表示装置１０−４に表示された４ページ目の画像データ「Ｄ」の画面サイズよりも小さい。この場合、スレーブ表示装置１０−１〜１０−２には、未だ、画像データが表示されない。
【００４８】
その後、画像データの表示を終了しない場合（ステップＳ１６−Ｎｏ）、再度、上述のステップＳ１２〜Ｓ１５が行なわれる。
【００４９】
ステップＳ１５（割当設定レイアウト表示処理）において、図８に示されるように、ページ送り用操作部３５Ａからのシフト指示に応じて、複数ページの画像データのうちの、１３ページ目の画像データ「Ｍ」がマスター表示装置１０−４に表示され、１０〜１２ページ目の画像データ「Ｊ」〜「Ｌ」がそれぞれスレーブ表示装置１０−３の第１〜第３の割当領域に表示される。また、ページ送り用操作部３５Ａからのシフト指示に応じて、複数ページの画像データのうちの、１〜９ページ目の画像データ「Ａ」〜「Ｉ」がそれぞれスレーブ表示装置１０−２に表示される。スレーブ表示装置１０−２の画像データ表示領域１０Ａは、９分割され、第１〜第９の割当領域を有している。この第１〜第９の割当領域は、同一の画面サイズであり、スレーブ表示装置１０−３の第１の割当領域と同一のサイズである。この場合、スレーブ表示装置１０−１には、未だ、画像データが表示されない。
【００５０】
その後、画像データの表示を終了しない場合（ステップＳ１６−Ｎｏ）、再度、上述のステップＳ１２〜Ｓ１５が行なわれる。
【００５１】
ステップＳ１５（割当設定レイアウト表示処理）において、図９に示されるように、ページ送り用操作部３５Ａからのシフト指示に応じて、複数ページの画像データのうちの、２２ページ目の画像データ「Ｖ」がマスター表示装置１０−４に表示され、１９〜２１ページ目の画像データ「Ｓ」〜「Ｕ」がそれぞれスレーブ表示装置１０−３の第１〜第３の割当領域に表示される。また、ページ送り用操作部３５Ａからのシフト指示に応じて、複数ページの画像データのうちの、１０〜１８ページ目の画像データ「Ｊ」〜「Ｒ」がそれぞれスレーブ表示装置１０−３の第１〜第９の割当領域に表示される。また、ページ送り用操作部３５Ａからのシフト指示に応じて、複数ページの画像データのうちの、１〜９ページ目の画像データ「Ａ」〜「Ｉ」がそれぞれスレーブ表示装置１０−１に表示される。スレーブ表示装置１０−１の画像データ表示領域１０Ａは、９分割され、第１〜第９の割当領域を有している。この第１〜第９の割当領域は、同一の画面サイズであり、スレーブ表示装置１０−３の第１の割当領域と同一のサイズである。
【００５２】
以上の説明により、本発明の第１実施形態に係る表示システムでは、並べて配置された複数台の表示装置１０−１〜１０−４と、複数台の表示装置１０−１〜１０−４に接続された制御装置３０と、を具備している。制御装置３０は、複数ページの画像データのうちの１ページの画像データ（例えば、図９に示される２２ページ目の画像データ「Ｖ」）を指定ページ目の画像データとして操作者が指定するためのページ操作部３５と、操作者により指定された指定ページ目の画像データ（２２ページ目の画像データ「Ｖ」）を、複数台の表示装置１０−１〜１０−４のうちの、最終台目の表示装置１０−４であるマスター表示装置に表示する画像データ表示制御部３３と、マスター表示装置１０−４以外の表示装置１０−１〜１０−３であるスレーブ表示装置に、複数ページの画像データのうちの、１ページ目から指定ページ目の直前のページまでの画像データ（例えば、図９に示される１〜２１ページ目の画像データ「Ａ」〜「Ｕ」）が順番に全て表示されるように、スレーブ表示装置１０−１〜１０−３に表示される画像データ（１〜２１ページ目の画像データ「Ａ」〜「Ｕ」）の画像の大きさを表す画像サイズ（幅、高さ）を、マスター表示装置１０−４に表示される指定ページ目の画像データ（２２ページ目の画像データ「Ｖ」）の画像サイズ（幅、高さ）よりも小さくするレイアウト表示制御部３６と、を具備している。
【００５３】
また、本発明の第１実施形態に係る表示システムでは、図４〜９に示されるように、スレーブ表示装置１０−１〜１０−３の各々に表示される画像データの数であるページ数、及び、その画像データの画像サイズ（幅、高さ）は、予め割り当てられていて、スレーブ表示装置１０−１〜１０−３の画像データ表示領域１０Ａは、それぞれ、９、９、３分割されている。レイアウト表示制御部３６は、割り当てられたページ数（例えば、図９に示されるように割り当てられたページ数「９」、「９」、「３」）、及び、画像サイズ（幅、高さ）に基づいて、スレーブ表示装置１０−１〜１０−３に表示される画像データの画像サイズ（幅、高さ）を小さくして、スレーブ表示装置１０−１〜１０−３に１ページ目から指定ページ目の直前のページまでの画像データ（図９に示される１〜２１ページ目の画像データ「Ａ」〜「Ｕ」）を順番に全て表示する割当設定レイアウト表示制御部３６Ａを備えている。
【００５４】
このように、本発明の第１実施形態に係る表示システムによれば、視聴者が数ページの画像データ（例えば、図９に示される１〜２２ページ目の画像データ「Ａ」〜「Ｖ」）を一度に閲覧することができる。また、スレーブ表示装置１０−１〜１０−３に表示される画像データ（１〜２１ページ目の画像データ「Ａ」〜「Ｕ」）の画像の大きさを表す画像サイズ（幅、高さ）を、マスター表示装置１０−４に表示される指定ページ目の画像データ（２２ページ目の画像データ「Ｖ」）の画像サイズ（幅、高さ）よりも小さくするため、現在表示されている画像データが、提示中の画像データ（操作者が説明している画像データ「Ｖ」）であるのか、提示済みの画像データ（操作者が説明済みの画像データ「Ａ」〜「Ｕ」）であるのかを、視聴者が容易に把握することができる。
【００５５】
また、本発明の第１実施形態に係る表示システムでは、スレーブ表示装置１０−１〜１０−３の画像データ表示領域１０Ａの各々に表示される画像データのページ数、及び、画像サイズ（幅、高さ）は、図４〜９に示されるような例に限定されない。
【００５６】
図１０に示されるように、スレーブ表示装置１０−１〜１０−３の画像データ表示領域１０Ａの各々は、全て９分割されていてもよい。
【００５７】
図１１に示されるように、スレーブ表示装置１０−１〜１０−３の画像データ表示領域１０Ａの各々は、全て３分割され、左寄せで縦に並んでいてもよい。
【００５８】
図１２に示されるように、スレーブ表示装置１０−１〜１０−３の画像データ表示領域１０Ａの各々は、全て３分割され、右寄せで縦に並んでいてもよい。
【００５９】
図１３に示されるように、スレーブ表示装置１０−１〜１０−３の画像データ表示領域１０Ａの各々は、全て３分割され、上寄せで横に並んでいてもよい。
【００６０】
図１４に示されるように、スレーブ表示装置１０−１〜１０−３の画像データ表示領域１０Ａの各々は、全て３分割され、下寄せで横に並んでいてもよい。
【００６１】
図１５に示されるように、スレーブ表示装置１０−１〜１０−３の画像データ表示領域１０Ａの各々は、全て４分割されていてもよい。
【００６２】
図１６に示されるように、スレーブ表示装置１０−１〜１０−３の画像データ表示領域１０Ａの各々は、全て２分割され、左寄せで縦に並んでいてもよい。
【００６３】
図１７に示されるように、スレーブ表示装置１０−１〜１０−３の画像データ表示領域１０Ａの各々は、全て２分割され、右寄せで縦に並んでいてもよい。
【００６４】
図１８に示されるように、スレーブ表示装置１０−１〜１０−３の画像データ表示領域１０Ａの各々は、全て２分割され、上寄せで横に並んでいてもよい。
【００６５】
図１９に示されるように、スレーブ表示装置１０−１〜１０−３の画像データ表示領域１０Ａの各々は、全て２分割され、下寄せで横に並んでいてもよい。
【００６６】
図２０に示されるように、スレーブ表示装置１０−１〜１０−３の画像データ表示領域１０Ａは、それぞれ、９、９、６分割されていてもよい。
【００６７】
図２１に示されるように、スレーブ表示装置１０−１〜１０−２の画像データ表示領域１０Ａは、それぞれ、９分割され、スレーブ表示装置１０−３の画像データ表示領域１０Ａは分割されなくてもよい。
【００６８】
図２２に示されるように、スレーブ表示装置１０−１の画像データ表示領域１０Ａは９分割され、スレーブ表示装置１０−２〜１０−３の画像データ表示領域１０Ａは分割されなくてもよい。
【００６９】
［第２実施形態］
本発明の第１実施形態に係る表示システムにおいて、スレーブ表示装置１０−１〜１０−３の各々に表示される画像データのページ数、及び、その画像データの画像サイズ（幅、高さ）は、予め割り当てられているが、これに限定されない。本発明の第２実施形態に係る表示システムにおいて、スレーブ表示装置１０−１〜１０−３の各々に表示される画像データのページ数、及び、その画像データの画像サイズ（幅、高さ）は、１ページ目から指定ページ目の直前のページまでの画像データの数である提示済ページ数により決定される。第２実施形態では、第１実施形態からの変更点を説明する。
【００７０】
図２３は、本発明の第２実施形態に係る表示システムの構成を示すブロック図である。レイアウト表示制御部３６は、第１実施形態における割当設定レイアウト表示制御部３６Ａに代えて、枚数設定レイアウト表示制御部３６Ｂを備えている。
【００７１】
枚数設定レイアウト表示制御部３６Ｂは、提示済ページ数がスレーブ表示装置１０−１〜１０−３の台数（この場合、「３」を超えるときに、スレーブ表示装置１０−１〜１０−３に表示される画像データの画像サイズ（幅、高さ）を小さくして、スレーブ表示装置１０−１〜１０−３に１ページ目から指定ページ目の直前のページまでの画像データを順番に全て表示する。
【００７２】
次に、本発明の第２実施形態に係る表示システムの動作（表示処理）について、図２４〜３０を用いて説明する。図２４は、本発明の第２実施形態に係る表示システムの動作（表示処理）を示すフローチャートである。図２５〜３０は、本発明の第２実施形態に係る表示システムの動作において、複数台の表示装置１０に表示される画像データの一例を示す図である。
【００７３】
まず、図２４に示されるように、前述のステップＳ１１〜Ｓ１３が実行される。この場合、図２５に示されるように、マスター表示装置１０−４には、１ページ目の画像データ「Ａ」が表示されている。
【００７４】
操作者は、マスター表示装置１０−４のページ操作表示領域１０Ｂに対して、例えば、ページ送り用操作部３５Ａを１回だけ操作する（押下する）。このとき、入力検知装置２０は、ページ送り用操作部３５Ａの操作として、マスター表示装置１０−４のページ操作表示領域１０Ｂに対する操作者の入力を検知し、シフト指示を制御装置３０の制御部３２に送信する。このシフト指示は、１回分のページ送りを表している（図２４のステップＳ１４−Ｙｅｓ）。この場合、後述のステップ２５に移行する。
【００７５】
図２６に示されるように、制御部３２の画像データ表示制御部３３は、ページ送り用操作部３５Ａからのシフト指示に応じて、複数ページの画像データのうちの、２ページ目の画像データ「Ｂ」をマスター表示装置１０−４に表示する。制御部３２のレイアウト表示制御部３６の枚数設定レイアウト表示制御部３６Ｂは、ページ送り用操作部３５Ａからのシフト指示に応じて、複数ページの画像データのうちの、１ページ目の画像データ「Ａ」をスレーブ表示装置１０−３に表示する。すなわち、制御部３２（画像データ表示制御部３３、枚数設定レイアウト表示制御部３６Ｂ）は、シフト指示に応じて、複数ページの画像データのうちの、１ページ目の画像データ「Ａ」、２ページ目の画像データ「Ｂ」を、それぞれ、スレーブ表示装置１０−３、マスター表示装置１０−４に表示する（図２４のステップＳ２５；枚数設定レイアウト表示処理）。
【００７６】
このとき、１ページ目の画像データ「Ａ」が提示済みの画像データとなるが、提示済ページ数「１」がスレーブ表示装置１０−１〜１０−３の台数「３」を超えていない。そのため、枚数設定レイアウト表示制御部３６Ｂは、スレーブ表示装置１０−３に表示される１ページ目の画像データ「Ａ」の画面サイズを小さくしない。
【００７７】
その後、画像データの表示を終了しない場合（ステップＳ１６−Ｎｏ）、再度、上述のステップＳ１２〜Ｓ１４、Ｓ２５が行なわれる。
【００７８】
ステップＳ２５（枚数設定レイアウト表示処理）において、図２７に示されるように、制御部３２の画像データ表示制御部３３は、ページ送り用操作部３５Ａからのシフト指示に応じて、複数ページの画像データのうちの、４ページ目の画像データ「Ｄ」をマスター表示装置１０−４に表示する。制御部３２のレイアウト表示制御部３６の枚数設定レイアウト表示制御部３６Ｂは、ページ送り用操作部３５Ａからのシフト指示に応じて、複数ページの画像データのうちの、１〜３ページ目の画像データ「Ａ」〜「Ｃ」をスレーブ表示装置１０−１〜１０−３に表示する。すなわち、制御部３２（画像データ表示制御部３３、枚数設定レイアウト表示制御部３６Ｂ）は、シフト指示に応じて、複数ページの画像データのうちの、１〜４ページ目の画像データ「Ａ」〜「Ｄ」を、それぞれ、スレーブ表示装置１０−１〜１０−３、マスター表示装置１０−４に表示する。
【００７９】
このとき、１〜３ページ目の画像データ「Ａ」〜「Ｃ」が提示済みの画像データとなるが、提示済ページ数「３」がスレーブ表示装置１０−１〜１０−３の台数「３」を超えていない。そのため、枚数設定レイアウト表示制御部３６Ｂは、スレーブ表示装置１０−１〜１０−３に表示される１〜３ページ目の画像データ「Ａ」〜「Ｃ」の画面サイズを小さくしない。
【００８０】
その後、画像データの表示を終了しない場合（ステップＳ１６−Ｎｏ）、再度、上述のステップＳ１２〜Ｓ１４、Ｓ２５が行なわれる。
【００８１】
ステップＳ２５（枚数設定レイアウト表示処理）において、図２８に示されるように、制御部３２の画像データ表示制御部３３は、ページ送り用操作部３５Ａからのシフト指示に応じて、複数ページの画像データのうちの、６ページ目の画像データ「Ｆ」をマスター表示装置１０−４に表示する。制御部３２のレイアウト表示制御部３６の枚数設定レイアウト表示制御部３６Ｂは、ページ送り用操作部３５Ａからのシフト指示に応じて、複数ページの画像データのうちの、１〜５ページ目の画像データ「Ａ」〜「Ｅ」をスレーブ表示装置１０−１〜１０−３に表示する。すなわち、制御部３２（画像データ表示制御部３３、枚数設定レイアウト表示制御部３６Ｂ）は、シフト指示に応じて、複数ページの画像データのうちの、１〜６ページ目の画像データ「Ａ」〜「Ｆ」を、それぞれ、スレーブ表示装置１０−１〜１０−３、マスター表示装置１０−４に表示する。
【００８２】
このとき、１〜５ページ目の画像データ「Ａ」〜「Ｅ」が提示済みの画像データとなり、提示済ページ数「５」がスレーブ表示装置１０−１〜１０−３の台数「３」を超えている。例えば、枚数設定レイアウト表示制御部３６Ｂは、スレーブ表示装置１０−２〜１０−３に表示される４〜５ページ目の画像データ「Ｄ」〜「Ｅ」の画面サイズを小さくしないで、スレーブ表示装置１０−１に表示される１〜３ページ目の画像データ「Ａ」〜「Ｃ」の画面サイズを小さくする。
【００８３】
この場合、枚数設定レイアウト表示制御部３６Ｂは、スレーブ表示装置１０−１の画像データ表示領域１０Ａを３分割した第１〜第３の割当領域を生成し、その第１〜第３の割当領域に１〜３ページ目の画像データ「Ａ」〜「Ｃ」を表示する。スレーブ表示装置１０−１の第１の割当領域に表示された１ページ目の画像データ「Ａ」の画面サイズは、スレーブ表示装置１０−１の第２の割当領域に表示された２ページ目の画像データ「Ｂ」の画面サイズよりも小さい。スレーブ表示装置１０−１の第２の割当領域に表示された２ページ目の画像データ「Ｂ」の画面サイズは、スレーブ表示装置１０−１の第３の割当領域に表示された３ページ目の画像データ「Ｃ」の画面サイズよりも小さい。スレーブ表示装置１０−１の第３の割当領域に表示された３ページ目の画像データ「Ｃ」の画面サイズは、スレーブ表示装置１０−２に表示された４ページ目の画像データ「Ｄ」の画面サイズよりも小さい。
【００８４】
その後、画像データの表示を終了しない場合（ステップＳ１６−Ｎｏ）、再度、上述のステップＳ１２〜Ｓ１４、Ｓ２５が行なわれる。
【００８５】
ステップＳ２５（枚数設定レイアウト表示処理）において、図２９に示されるように、制御部３２の画像データ表示制御部３３は、ページ送り用操作部３５Ａからのシフト指示に応じて、複数ページの画像データのうちの、１４ページ目の画像データ「Ｎ」をマスター表示装置１０−４に表示する。制御部３２のレイアウト表示制御部３６の枚数設定レイアウト表示制御部３６Ｂは、ページ送り用操作部３５Ａからのシフト指示に応じて、複数ページの画像データのうちの、１〜１３ページ目の画像データ「Ａ」〜「Ｍ」をスレーブ表示装置１０−１〜１０−３に表示する。すなわち、制御部３２（画像データ表示制御部３３、枚数設定レイアウト表示制御部３６Ｂ）は、シフト指示に応じて、複数ページの画像データのうちの、１〜１４ページ目の画像データ「Ａ」〜「Ｎ」を、それぞれ、スレーブ表示装置１０−１〜１０−３、マスター表示装置１０−４に表示する。
【００８６】
このとき、１〜１３ページ目の画像データ「Ａ」〜「Ｍ」が提示済みの画像データとなり、提示済ページ数「１３」がスレーブ表示装置１０−１〜１０−３の台数「３」を超えている。例えば、枚数設定レイアウト表示制御部３６Ｂは、スレーブ表示装置１０−３に表示される１３ページ目の画像データ「Ｍ」の画面サイズを小さくしないで、スレーブ表示装置１０−１〜１０−２に表示される１〜１２ページ目の画像データ「Ａ」〜「Ｌ」の画面サイズを小さくする。
【００８７】
この場合、枚数設定レイアウト表示制御部３６Ｂは、スレーブ表示装置１０−２の画像データ表示領域１０Ａを３分割した第１〜第３の割当領域を生成し、その第１〜第３の割当領域に１０〜１２ページ目の画像データ「Ｊ」〜「Ｌ」を表示する。スレーブ表示装置１０−２の第１の割当領域に表示された１０ページ目の画像データ「Ｊ」の画面サイズは、スレーブ表示装置１０−２の第２の割当領域に表示された１１ページ目の画像データ「Ｋ」の画面サイズよりも小さい。スレーブ表示装置１０−２の第２の割当領域に表示された１１ページ目の画像データ「Ｊ」の画面サイズは、スレーブ表示装置１０−２の第３の割当領域に表示された１２ページ目の画像データ「Ｌ」の画面サイズよりも小さい。スレーブ表示装置１０−２の第３の割当領域に表示された１２ページ目の画像データ「Ｌ」の画面サイズは、スレーブ表示装置１０−３に表示された１３ページ目の画像データ「Ｍ」の画面サイズよりも小さい。
【００８８】
また、枚数設定レイアウト表示制御部３６Ｂは、スレーブ表示装置１０−１の画像データ表示領域１０Ａを９分割した第１〜第９の割当領域を生成し、その第１〜第９の割当領域に１〜９ページ目の画像データ「Ａ」〜「Ｉ」を表示する。スレーブ表示装置１０−１の第１〜第９の割当領域に表示された１〜９ページ目の画像データ「Ａ」〜「Ｉ」の画面サイズは、同一の画面サイズであり、スレーブ表示装置１０−２の第１の割当領域と同一のサイズである。
【００８９】
その後、画像データの表示を終了しない場合（ステップＳ１６−Ｎｏ）、再度、上述のステップＳ１２〜Ｓ１４、Ｓ２５が行なわれる。
【００９０】
ステップＳ２５（枚数設定レイアウト表示処理）において、図３０に示されるように、制御部３２の画像データ表示制御部３３は、ページ送り用操作部３５Ａからのシフト指示に応じて、複数ページの画像データのうちの、２２ページ目の画像データ「Ｖ」をマスター表示装置１０−４に表示する。制御部３２のレイアウト表示制御部３６の枚数設定レイアウト表示制御部３６Ｂは、ページ送り用操作部３５Ａからのシフト指示に応じて、複数ページの画像データのうちの、１〜２１ページ目の画像データ「Ａ」〜「Ｕ」をスレーブ表示装置１０−１〜１０−３に表示する。すなわち、制御部３２（画像データ表示制御部３３、枚数設定レイアウト表示制御部３６Ｂ）は、シフト指示に応じて、複数ページの画像データのうちの、１〜２２ページ目の画像データ「Ａ」〜「Ｖ」を、それぞれ、スレーブ表示装置１０−１〜１０−３、マスター表示装置１０−４に表示する。
【００９１】
このとき、１〜２１ページ目の画像データ「Ａ」〜「Ｕ」が提示済みの画像データとなり、提示済ページ数「２１」がスレーブ表示装置１０−１〜１０−３の台数「３」を超えている。枚数設定レイアウト表示制御部３６Ｂは、スレーブ表示装置１０−１〜１０−３に表示される１〜２１ページ目の画像データ「Ａ」〜「Ｕ」の画面サイズを小さくする。
【００９２】
この場合、枚数設定レイアウト表示制御部３６Ｂは、スレーブ表示装置１０−３の画像データ表示領域１０Ａを３分割した第１〜第３の割当領域を生成し、その第１〜第３の割当領域に１９〜２１ページ目の画像データ「Ｓ」〜「Ｕ」を表示する。スレーブ表示装置１０−３の第１の割当領域に表示された１９ページ目の画像データ「Ｓ」の画面サイズは、スレーブ表示装置１０−３の第２の割当領域に表示された２０ページ目の画像データ「Ｔ」の画面サイズよりも小さい。スレーブ表示装置１０−２の第２の割当領域に表示された２０ページ目の画像データ「Ｔ」の画面サイズは、スレーブ表示装置１０−３の第３の割当領域に表示された２１ページ目の画像データ「Ｕ」の画面サイズよりも小さい。スレーブ表示装置１０−３の第３の割当領域に表示された２１ページ目の画像データ「Ｕ」の画面サイズは、マスター表示装置１０−４に表示された２２ページ目の画像データ「Ｖの画面サイズよりも小さい。
【００９３】
また、枚数設定レイアウト表示制御部３６Ｂは、スレーブ表示装置１０−２の画像データ表示領域１０Ａを９分割した第１〜第９の割当領域を生成し、その第１〜第９の割当領域に１０〜１８ページ目の画像データ「Ｊ」〜「Ｒ」を表示する。スレーブ表示装置１０−２の第１〜第９の割当領域に表示された１０〜１８ページ目の画像データ「Ｊ」〜「Ｒ」の画面サイズは、同一の画面サイズであり、スレーブ表示装置１０−３の第１の割当領域と同一のサイズである。
【００９４】
また、枚数設定レイアウト表示制御部３６Ｂは、スレーブ表示装置１０−１の画像データ表示領域１０Ａを９分割した第１〜第９の割当領域に１〜９ページ目の画像データ「Ａ」〜「Ｉ」を表示する。
【００９５】
以上の説明により、本発明の第２実施形態に係る表示システムでは、図２３〜３０に示されるように、スレーブ表示装置１０−１〜１０−３の各々に表示される画像データの数であるページ数、及び、その画像データの画像サイズ（幅、高さ）は、１ページ目から指定ページ目の直前のページまでの画像データの数である提示済ページ数により決定される。レイアウト表示制御部３６は、提示済ページ数（例えば、図３０に示されるような提示済ページ数「２１」）がスレーブ表示装置１０−１〜１０−３の台数（この場合、「３」）を超えるときに、スレーブ表示装置１０−１〜１０−３に表示される画像データの画像サイズ（幅、高さ）を小さくして、スレーブ表示装置１０−１〜１０−３に１ページ目から指定ページ目の直前のページまでの画像データ（図３０に示される１〜２１ページ目の画像データ「Ａ」〜「Ｕ」）を順番に全て表示する枚数設定レイアウト表示制御部３６Ｂを備えている。
【００９６】
このように、本発明の第２実施形態に係る表示システムによれば、視聴者が数ページの画像データ（例えば、図３０に示される１〜２２ページ目の画像データ「Ａ」〜「Ｖ」）を一度に閲覧することができる。また、スレーブ表示装置１０−１〜１０−３に表示される画像データ（１〜２１ページ目の画像データ「Ａ」〜「Ｕ」）の画像の大きさを表す画像サイズ（幅、高さ）を、マスター表示装置１０−４に表示される指定ページ目の画像データ（２２ページ目の画像データ「Ｖ」）の画像サイズ（幅、高さ）よりも小さくするため、現在表示されている画像データが、提示中の画像データ（操作者が説明している画像データ「Ｖ」）であるのか、提示済みの画像データ（操作者が説明済みの画像データ「Ａ」〜「Ｕ」）であるのかを、視聴者が容易に把握することができる。
【００９７】
［第３実施形態］
本発明の第１〜第２実施形態に係る表示システムにおいて、操作者は、ページ操作部３５（ページ送り用操作部３５Ａ）を操作して、マスター表示装置１０−４に表示された指定ページ目の画像データに対してページ送りを行なっているが、これに限定されない。本発明の第３実施形態に係る表示システムにおいて、レイアウト表示制御部３６は、設定時間が経過したときに、マスター表示装置１０−４に表示された指定ページ目の画像データに対してページ送りを行なう。第３実施形態では、第１〜第２実施形態からの変更点を説明する。
【００９８】
図３１は、本発明の第３実施形態に係る表示システムの構成を示すブロック図である。レイアウト表示制御部３６は、第１実施形態における割当設定レイアウト表示制御部３６Ａ、または、第２実施形態における枚数設定レイアウト表示制御部３６Ｂに代えて、時間設定レイアウト表示制御部３６Ｃを備えている。
【００９９】
時間設定レイアウト表示制御部３６Ｃは、マスター表示装置１０−４の画像データ表示領域１０Ａに対して、指先またはペン先により文字等を入力しない時間をカウントする。カウントした時間が設定時間を経過したときに、マスター表示装置１０−４に表示された指定ページ目の画像データに対してページ送りを行なう。その後、時間設定レイアウト表示制御部３６Ｃは、第１実施形態における割当設定レイアウト表示制御部３６Ａ、または、第２実施形態における枚数設定レイアウト表示制御部３６Ｂと同じ処理を行なう。
【０１００】
次に、本発明の第３実施形態に係る表示システムの動作（表示処理）について、図３２を用いて説明する。図３２は、本発明の第３実施形態に係る表示システムの動作（表示処理）を示すフローチャートである。
【０１０１】
まず、図３２に示されるように、前述のステップＳ１１〜Ｓ１３が実行される。
【０１０２】
操作者が、マスター表示装置１０−４の画像データ表示領域１０Ａに対して、指先またはペン先により文字等を入力した場合（図３２のステップＳ３４−Ｎｏ、Ｓ１６−Ｎｏ、Ｓ１２−Ｙｅｓ）、前述のステップＳ１３が実行される。
【０１０３】
操作者が、マスター表示装置１０−４の画像データ表示領域１０Ａに対して、指先またはペン先により文字等を入力しないまま、設定時間が経過した場合（図３２のステップＳ３４−Ｙｅｓ）、時間設定レイアウト表示制御部３６Ｃは、時間設定レイアウト表示処理（ステップ３５）を実行する。
【０１０４】
ステップ３５（時間設定レイアウト表示処理）において、時間設定レイアウト表示制御部３６Ｃは、マスター表示装置１０−４に表示された指定ページ目の画像データに対してページ送りを行なう。このとき、時間設定レイアウト表示制御部３６Ｃは、第１実施形態におけるステップＳ１５（割当設定レイアウト表示処理）（図３、４〜９、１０〜２２を参照）、または、第２実施形態におけるステップＳ２５（枚数設定レイアウト表示処理）（図２４、２５〜３０を参照）を実行する。
【０１０５】
以上の説明により、本発明の第３実施形態に係る表示システムでは、レイアウト表示制御部３６は、設定時間が経過したときに、マスター表示装置１０−４に表示された指定ページ目の画像データに対してページ送りを行ない、スレーブ表示装置１０−１〜１０−３に、複数ページの画像データのうちの、１ページ目から指定ページ目の直前のページまでの画像データが順番に全て表示されるように、スレーブ表示装置１０−１〜１０−３に表示される画像データの画像の大きさを表す画像サイズ（幅、高さ）を、マスター表示装置１０−４に表示される指定ページ目の画像データ（２２ページ目の画像データ「Ｖ」）の画像サイズ（幅、高さ）よりも小さくする時間設定レイアウト表示制御部３６Ｃを備えている。
【０１０６】
このように、本発明の第３実施形態に係る表示システムによれば、視聴者が数ページの画像データ（例えば、図９、３０に示される１〜２２ページ目の画像データ「Ａ」〜「Ｖ」）を一度に閲覧することができる。また、スレーブ表示装置１０−１〜１０−３に表示される画像データ（１〜２１ページ目の画像データ「Ａ」〜「Ｕ」）の画像の大きさを表す画像サイズ（幅、高さ）を、マスター表示装置１０−４に表示される指定ページ目の画像データ（２２ページ目の画像データ「Ｖ」）の画像サイズ（幅、高さ）よりも小さくするため、現在表示されている画像データが、提示中の画像データ（操作者が説明している画像データ「Ｖ」）であるのか、提示済みの画像データ（操作者が説明済みの画像データ「Ａ」〜「Ｕ」）であるのかを、視聴者が容易に把握することができる。
【０１０７】
［第４実施形態］
本発明の第４実施形態に係る表示システムにおいて、スレーブ表示装置１０−１〜１０−３に表示された１ページ目から指定ページ目の直前のページまでの画像データのうちの、１ページ分の画像データを操作者がタッチした場合、再ソートを行なう。第４実施形態では、第１実施形態からの変更点を説明する。
【０１０８】
図３３は、本発明の第４実施形態に係る表示システムの構成を示すブロック図である。レイアウト表示制御部３６は、更に、選択時レイアウト表示制御部３６Ｄを備えている。
【０１０９】
選択時レイアウト表示制御部３６Ｄは、スレーブ表示装置１０−１〜１０−３に表示された１ページ目から指定ページ目の直前のページまでの画像データのうちの、１ページ分の画像データを操作者がタッチした場合、タッチされた画像データを指定ページ目の画像データとしてマスター表示装置１０−４に再表示し、スレーブ表示装置１０−１〜１０−３に、複数ページの画像データのうちの、１ページ目から指定ページ目の直前のページまでの画像データが順番に全て表示されるように、スレーブ表示装置１０−１〜１０−３に表示される画像データの画像サイズ（幅、高さ）を小さくする。
【０１１０】
次に、本発明の第４実施形態に係る表示システムの動作（表示処理）について、図３４〜３６を用いて説明する。図３４は、本発明の第４実施形態に係る表示システムの動作（表示処理）を示すフローチャートである。図３５〜３６は、本発明の第４実施形態に係る表示システムの動作において、複数台の表示装置１０に表示される画像データの一例を示す図である。
【０１１１】
まず、図３４に示されるように、前述のステップＳ１１〜Ｓ１５が実行される。この場合、図３５に示されるように、スレーブ表示装置１０−１〜１０−３、マスター表示装置１０−４には、それぞれ、１〜９ページ目の画像データ「Ａ」〜「Ｉ」、１０〜１８ページ目の画像データ「Ｊ」〜「Ｒ」、１９〜２１ページ目の画像データ「Ｓ」〜「Ｕ」、２２ページ目の画像データ「Ｖ」が表示されている。
【０１１２】
操作者が、スレーブ表示装置１０−１〜１０−３の画像データ表示領域１０Ａに対して、一定時間内に、１ページ分の画像データをタッチするようなページ選択を行なわない（図３４のステップＳ４１−Ｎｏ）。この場合、後述のステップ１６に移行する。
【０１１３】
一方、操作者が、スレーブ表示装置１０−１〜１０−３の画像データ表示領域１０Ａに対して、一定時間内に、ページ選択として、スレーブ表示装置１０−２に表示された１３ページ目の画像データ「Ｍ」をタッチした場合（図３４のステップＳ４１−Ｙｅｓ）、選択時レイアウト表示制御部３６Ｄは、選択時レイアウト表示処理（ステップ４２）を実行する。
【０１１４】
ステップ４２（選択時レイアウト表示処理）において、図３６に示されるように、スレーブ表示装置１０−２に表示された１３ページ目の画像データ「Ｍ」に対するタッチ操作に応じて、複数ページの画像データのうちの、１３ページ目の画像データ「Ｍ」がマスター表示装置１０−４に表示（再表示）され、１０〜１２ページ目の画像データ「Ｊ」〜「Ｌ」がそれぞれスレーブ表示装置１０−３の第１〜第３の割当領域に表示（再表示）される。また、複数ページの画像データのうちの、１〜９ページ目の画像データ「Ａ」〜「Ｉ」がそれぞれスレーブ表示装置１０−２に表示（再表示）される。この場合、スレーブ表示装置１０−１には、画像データが表示されない。
【０１１５】
以上の説明により、本発明の第４実施形態に係る表示システムでは、レイアウト表示制御部３６は、スレーブ表示装置１０−１〜１０−３に表示された１ページ目から指定ページ目の直前のページまでの画像データのうちの、１ページ分の画像データを操作者がタッチした場合、タッチされた画像データを指定ページ目の画像データとしてマスター表示装置１０−４に再表示し、スレーブ表示装置１０−１〜１０−３に、複数ページの画像データのうちの、１ページ目から指定ページ目の直前のページまでの画像データが順番に全て表示されるように、スレーブ表示装置１０−１〜１０−３に表示される画像データの画像サイズ（幅、高さ）を小さくする選択時レイアウト表示制御部３６Ｄを備えている。
【０１１６】
このように、本発明の第４実施形態に係る表示システムによれば、第１実施形態の効果に加えて、スレーブ表示装置１０−１〜１０−３に表示された１ページ目から指定ページ目の直前のページまでの画像データのうちの、１ページ分の画像データを操作者がタッチした場合、再ソートを行なうことができる。このとき、視聴者が数ページの画像データ（例えば、図３６に示される１〜１３ページ目の画像データ「Ａ」〜「Ｍ」）を一度に閲覧することができる。また、スレーブ表示装置１０−２〜１０−３に表示される画像データ（１〜１２ページ目の画像データ「Ａ」〜「Ｌ」）の画像の大きさを表す画像サイズ（幅、高さ）を、マスター表示装置１０−４に表示される指定ページ目の画像データ（１３ページ目の画像データ「Ｍ」）の画像サイズ（幅、高さ）よりも小さくするため、現在表示されている画像データが、提示中の画像データ（操作者が説明している画像データ「Ｍ」）であるのか、提示済みの画像データ（操作者が説明済みの画像データ「Ａ」〜「Ｌ」）であるのかを、視聴者が容易に把握することができる。
【０１１７】
［第５実施形態］
第２実施形態に対して第４実施形態を適用し、第５実施形態としてもよい。すなわち、本発明の第５実施形態に係る表示システムにおいて、スレーブ表示装置１０−１〜１０−３に表示された１ページ目から指定ページ目の直前のページまでの画像データのうちの、１ページ分の画像データを操作者がタッチした場合、再ソートを行なう。第５実施形態では、第２、第４実施形態からの変更点を説明する。
【０１１８】
図３７は、本発明の第５実施形態に係る表示システムの構成を示すブロック図である。レイアウト表示制御部３６は、更に、選択時レイアウト表示制御部３６Ｄを備えている。
【０１１９】
次に、本発明の第５実施形態に係る表示システムの動作（表示処理）について、図３８〜４０を用いて説明する。図３８は、本発明の第５実施形態に係る表示システムの動作（表示処理）を示すフローチャートである。図３９〜４０は、本発明の第５実施形態に係る表示システムの動作において、複数台の表示装置１０に表示される画像データの一例を示す図である。
【０１２０】
まず、図３８に示されるように、前述のステップＳ１１〜Ｓ１５が実行される。この場合、図３９に示されるように、スレーブ表示装置１０−１〜１０−３、マスター表示装置１０−４には、それぞれ、１〜９ページ目の画像データ「Ａ」〜「Ｉ」、１０〜１８ページ目の画像データ「Ｊ」〜「Ｒ」、１９〜２１ページ目の画像データ「Ｓ」〜「Ｕ」、２２ページ目の画像データ「Ｖ」が表示されている。
【０１２１】
操作者が、スレーブ表示装置１０−１〜１０−３の画像データ表示領域１０Ａに対して、一定時間内に、ページ選択として、スレーブ表示装置１０−２に表示された１４ページ目の画像データ「Ｎ」をタッチした場合（図３８のステップＳ４１−Ｙｅｓ）、選択時レイアウト表示制御部３６Ｄは、選択時レイアウト表示処理（ステップ４２）を実行する。
【０１２２】
ステップ４２（選択時レイアウト表示処理）において、図４０に示されるように、スレーブ表示装置１０−２に表示された１４ページ目の画像データ「Ｎ」に対するタッチ操作に応じて、複数ページの画像データのうちの、１４ページ目の画像データ「Ｎ」がマスター表示装置１０−４に表示（再表示）され、１３ページ目の画像データ「Ｍ」がスレーブ表示装置１０−３に表示（再表示）される。また、複数ページの画像データのうちの、１０〜１２ページ目の画像データ「Ｊ」〜「Ｌ」がそれぞれスレーブ表示装置１０−３の第１〜第３の割当領域に表示（再表示）され、１〜９ページ目の画像データ「Ａ」〜「Ｉ」がそれぞれスレーブ表示装置１０−２に表示（再表示）される。
【０１２３】
このように、本発明の第５実施形態に係る表示システムによれば、第２実施形態の効果に加えて、スレーブ表示装置１０−１〜１０−３に表示された１ページ目から指定ページ目の直前のページまでの画像データのうちの、１ページ分の画像データを操作者がタッチした場合、再ソートを行なうことができる。このとき、視聴者が数ページの画像データ（例えば、図４０に示される１〜１４ページ目の画像データ「Ａ」〜「Ｎ」）を一度に閲覧することができる。また、スレーブ表示装置１０−１〜１０−２に表示される画像データ（１〜１２ページ目の画像データ「Ａ」〜「Ｌ」）の画像の大きさを表す画像サイズ（幅、高さ）を、スレーブ表示装置１０−３に表示される画像データ（１〜１３ページ目の画像データ「Ｍ」）、及び、マスター表示装置１０−４に表示される指定ページ目の画像データ（１４ページ目の画像データ「Ｎ」）の画像サイズ（幅、高さ）よりも小さくするため、現在表示されている画像データが、提示中の画像データ（操作者が説明している画像データ「Ｍ」、「Ｎ」）であるのか、提示済みの画像データ（操作者が説明済みの画像データ「Ａ」〜「Ｌ」）であるのかを、視聴者が容易に把握することができる。
【０１２４】
［第６実施形態］
第３実施形態に対して第４実施形態を適用し、第６実施形態としてもよい。すなわち、本発明の第６実施形態に係る表示システムにおいて、スレーブ表示装置１０−１〜１０−３に表示された１ページ目から指定ページ目の直前のページまでの画像データのうちの、１ページ分の画像データを操作者がタッチした場合、再ソートを行なう。第６実施形態では、第３〜第５実施形態からの変更点を説明する。
【０１２５】
図４１は、本発明の第６実施形態に係る表示システムの構成を示すブロック図である。レイアウト表示制御部３６は、更に、選択時レイアウト表示制御部３６Ｄを備えている。
【０１２６】
次に、本発明の第３実施形態に係る表示システムの動作（表示処理）について、図４２を用いて説明する。図４２は、本発明の第６実施形態に係る表示システムの動作（表示処理）を示すフローチャートである。
【０１２７】
図４２に示されるように、前述のステップＳ１１〜Ｓ１３、Ｓ３４〜Ｓ３５が実行される。操作者が、スレーブ表示装置１０−１〜１０−３に表示された１ページ目から指定ページ目の直前のページまでの画像データのうちの、１ページ分の画像データを、ページ選択として、タッチした場合（図４１のステップＳ４１−Ｙｅｓ）、選択時レイアウト表示制御部３６Ｄは、選択時レイアウト表示処理（ステップ４２）を実行する。この場合、選択時レイアウト表示制御部３６Ｄは、第４実施形態におけるステップ４２（選択時レイアウト表示処理）（図３４〜３６を参照）、または、第５実施形態におけるステップ４２（選択時レイアウト表示処理）（図３８〜４０を参照）を実行する。
【０１２８】
このように、本発明の第６実施形態に係る表示システムによれば、第３実施形態の効果に加えて、第４、または、第５実施形態の効果を図ることができる。
【０１２９】
［第７実施形態］
本発明の第１〜第６実施形態に係る表示システムにおいて、スレーブ表示装置１０−１〜１０−３に表示される１ページ目から指定ページ目の直前のページまでの画像データに対して画像サイズを変更（小さく）しているが、これに限定されない。本発明の第７実施形態に係る表示システムにおいて、重要度に基づいて、スレーブ表示装置１０−１〜１０−３に表示される１ページ目から指定ページ目の直前のページまでの画像データに対して画像サイズを変更（小さく）してもよい。第７実施形態では、第１〜第６実施形態からの変更点を説明する。
【０１３０】
図４３は、本発明の第７実施形態に係る表示システムの記憶部３２に格納されたテーブル３１Ａを示す図である。テーブル３１Ａは、画像データ「Ａ」、「Ｂ」、「Ｃ」、「Ｄ」、「Ｅ」、「Ｆ」、「Ｇ」、「Ｈ」、「Ｉ」、「Ｊ」、「Ｋ」…と、重要度「１」、「１」、「１」、「１」、「１」、「３」、「５」、「１」、「２」、「４」、「１」…とを対応付ける。重要度「１」〜「５」の順に高く、重要度「５」が最も高い。
【０１３１】
図４４は、本発明の第７実施形態に係る表示システムの動作において、複数台の表示装置１０に表示される画像データの一例を示す図である。レイアウト表示制御部３６は、テーブル３１Ａに設定された重要度「１」、「１」、「１」、「１」、「１」、「３」、「５」、「１」、「２」、「４」、「１」…に基づいて、スレーブ表示装置１０−１〜１０−３に表示される１ページ目から指定ページ目の直前のページまでの画像データの画像サイズ（幅、高さ）を変更する。
【０１３２】
ここで、画像データ「Ｇ」は、重要度「５」であるため、その画像サイズは変更されない。例えば、第１実施形態におけるステップＳ１５（割当設定レイアウト表示処理）、第２実施形態におけるステップＳ２５（枚数設定レイアウト表示処理）、第３実施形態におけるステップ３５（時間設定レイアウト表示処理）、第４〜第６実施形態におけるステップ４２（選択時レイアウト表示処理）などが実行された場合でも、画像データ「Ｇ」は、重要度「５」であるため、その画像サイズは変更されない。
【０１３３】
以上の説明により、本発明の第７実施形態に係る表示システムでは、制御装置３０は、複数ページの画像データの各々に対して重要度が設定されたテーブル３１Ａ、を更に具備し、レイアウト表示制御部３６は、テーブル３１Ａに設定された重要度に基づいて、スレーブ表示装置１０−１〜１０−３に表示される画像データの画像サイズ（幅、高さ）を変更する。
【０１３４】
このように、本発明の第７実施形態に係る表示システムによれば、第１〜第６実施形態の効果に加えて、１ページ目から指定ページ目の直前のページまでの画像データの画像サイズを重要度に応じて変更することができる。
【０１３５】
以上のように、本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【符号の説明】
【０１３６】
１０  …  表示装置
１０−１  …  表示装置（スレーブ表示装置）
１０−２  …  表示装置（スレーブ表示装置）
１０−３  …  表示装置（スレーブ表示装置）
１０−４  …  表示装置（マスター表示装置）
１０Ａ  …  画像データ表示領域
１０Ｂ  …  ページ操作表示領域
１１  …  入力情報
２０  …  入力検知装置
３０  …  制御装置
３１  …  制御部
３１Ａ  …  テーブル
３２  …  記憶部
３３  …  画像データ表示制御部
３４  …  入力反映表示制御部
３５  …  ページ操作部
３５Ａ  …  ページ送り用操作部
３５Ｂ  …  ページ戻し用操作部
３６  …  レイアウト表示制御部
３６Ａ  …  割当設定レイアウト表示制御部
３６Ｂ  …  枚数設定レイアウト表示制御部
３６Ｃ  …  時間設定レイアウト表示制御部
３６Ｄ  …  選択時レイアウト表示制御部
【図１】
0006429648.tif 000002
【図２】
0006429648.tif 000003
【図３】
0006429648.tif 000004
【図４】
0006429648.tif 000005
【図５】
0006429648.tif 000006
【図６】
0006429648.tif 000007
【図７】
0006429648.tif 000008
【図８】
0006429648.tif 000009
【図９】
0006429648.tif 000010
【図１０】
0006429648.tif 000011
【図１１】
0006429648.tif 000012
【図１２】
0006429648.tif 000013
【図１３】
0006429648.tif 000014
【図１４】
0006429648.tif 000015
【図１５】
0006429648.tif 000016
【図１６】
0006429648.tif 000017
【図１７】
0006429648.tif 000018
【図１８】
0006429648.tif 000019
【図１９】
0006429648.tif 000020
【図２０】
0006429648.tif 000021
【図２１】
0006429648.tif 000022
【図２２】
0006429648.tif 000023
【図２３】
0006429648.tif 000024
【図２４】
0006429648.tif 000025
【図２５】
0006429648.tif 000026
【図２６】
0006429648.tif 000027
【図２７】
0006429648.tif 000028
【図２８】
0006429648.tif 000029
【図２９】
0006429648.tif 000030
【図３０】
0006429648.tif 000031
【図３１】
0006429648.tif 000032
【図３２】
0006429648.tif 000033
【図３３】
0006429648.tif 000034
【図３４】
0006429648.tif 000035
【図３５】
0006429648.tif 000036
【図３６】
0006429648.tif 000037
【図３７】
0006429648.tif 000038
【図３８】
0006429648.tif 000039
【図３９】
0006429648.tif 000040
【図４０】
0006429648.tif 000041
【図４１】
0006429648.tif 000042
【図４２】
0006429648.tif 000043
【図４３】
0006429648.tif 000044
【図４４】
0006429648.tif 000045